(57)【要約】【課題】積層した表示部を設け、かつ、ラベル片の一部をオーバーラップさせることにより表示面積を増加させるとともに、オーバーラップ部が剥離・再貼着可能に仮着された表示ラベルを提供すること。【解決手段】表裏面に情報が表示され、かつ、裏面の一端部に第１の強粘着剤層１４が形成される第１の表示ラベル本体１１と、表裏面に情報が表示されるとともに、裏面における他端部に剥離・再貼着が可能な弱粘着剤層１５が形成された第２の表示ラベル本体１２と、第１および第２の表示ラベル本体の間の一端部側に設けられる第２の強粘着剤層１６と、を備える表示ラベル１０であり、第１の強粘着剤層を介して被貼付物Ｓに一端部を貼着するとともに第１および第２の表示ラベル本体を被貼付物に巻回し、第２の表示ラベル本体の一部をオーバーラップさせて弱粘着剤層にて貼付して表示することを特徴とする。【選択図】図４
2014044300.tif 000002
【特許請求の範囲】
【請求項１】
矩形状のラベル基材の表裏面に情報が表示され、かつ、裏面の一端部に第１の強粘着剤層が形成される第１の表示ラベル本体と、
前記第１の表示ラベル本体より長尺に形成され、ラベル基材の表裏面に情報が表示されるとともに、裏面における他端部に剥離・再貼着が可能な弱粘着剤層が形成された第２の表示ラベル本体と、
前記第１および第２の表示ラベル本体の間の前記第１の強粘着剤層側の一端部側に設けられる第２の強粘着剤層と、
を備え、
前記第１および第２の表示ラベル本体の一端部側を、前記第２の強粘着剤層を介し積層して成る表示ラベルであって、
前記第１の強粘着剤層を介して被貼付物に一端部を貼着するとともに前記第１および第２の表示ラベル本体を被貼付物に巻回し、前記第２の表示ラベル本体の一部をオーバーラップさせて前記弱粘着剤層にて貼付して表示することを特徴とする表示ラベル。
【請求項２】
矩形状のラベル基材の表裏面に情報が表示された第１の表示ラベル本体と、
前記第１の表示ラベル本体より長尺に形成され、ラベル基材の表裏面に情報が表示されるとともに、表面における少なくとも一端部に離型剤層が形成され、かつ、前記離型剤層が形成された一端部とは対峙する他端部における裏面側に第４の強粘着剤層が形成された第２の表示ラベル本体と、
前記第１および第２の表示ラベル本体の間の前記離型剤層が形成された一端部側に設けられる第２の強粘着剤層と、
前記第１および第２の表示ラベル本体の間の前記一端部および他端部間における適宜位置に形成された第３の強粘着剤層と、
を備え、
前記第１および第２の表示ラベル本体の一端部側を、前記第２の強粘着剤層が表出するようずらした状態で前記第２の強粘着剤層および前記第３の強粘着剤層を介し前記第１の表示ラベル本体に積層して成る表示ラベルであって、
前記第２の強粘着剤層を介して被貼付物に一端部を貼着するとともに前記第１および第２の表示ラベル本体を被貼付物に巻回し、前記第２の表示ラベル本体の一部をオーバーラップさせて前記第３の強粘着剤層にて貼付して表示することを特徴とする表示ラベル。
【請求項３】
矩形状のラベル基材の表面に情報が表示されるとともに、裏面の全面に強粘着剤層が形成された第１の表示ラベル本体と、
前記第１の表示ラベル本体より長尺に形成され、ラベル基材の表裏面に情報が表示されるとともに、表面における少なくとも一端部に離型剤層が形成され、かつ、前記離型剤層が形成された一端部とは対峙する他端部における裏面側に第４の強粘着剤層が形成された第２の表示ラベル本体と、
前記第１および第２の表示ラベル本体の間の前記離型剤層が形成された一端部側に設けられる第２の強粘着剤層と、
前記第１および第２の表示ラベル本体の間の前記一端部および他端部間における適宜位置に形成された第３の強粘着剤層と、
を備え、
前記第１および第２の表示ラベル本体の一端部側を、前記第２の強粘着剤層を介し前記第１の表示ラベル本体を覆うように積層して形成される表示ラベルであって、
前記第１の表示ラベル本体裏面の強粘着剤層を介して被貼付物に貼着するとともに前記第１および第２の表示ラベル本体を被貼付物に巻回し、前記第２の表示ラベル本体の一部をオーバーラップさせて前記弱粘着剤層にて貼付して表示することを特徴とする表示ラベル。
【請求項４】
前記ラベル基材の表面のうち、少なくとも前記第３の強粘着剤層が重なる部分に離型剤層を形成することを特徴とする請求項２または３に記載の表示ラベル。
【発明の詳細な説明】
【技術分野】
【０００１】
本発明は表示ラベルに係り、特に、積層した表示部を設け、かつ、被貼付物にオーバーラップするように巻回貼付して表示面積を増加させるとともに、オーバーラップ部分が剥離・再貼着可能に仮着された表示ラベルに関する。
【背景技術】
【０００２】
従来、商品名などの情報が印字または印刷された表示ラベルを容器に貼付することが一般的に行なわれている。
【０００３】
特に、農薬などの販売に際して農薬が入った容器には、その農薬の使用方法や注意書きを表示ラベルに見易く、かつ、読み易く表示することが、農薬安全使用対策の一環として求められている。これら表示項目には登録番号、種類名、名称、成分、内容量、劇物取締法による表示、消防法等による表示などが挙げられ、多数の表示項目が要求されるほか、見易くするために文字の大きさや書体なども、その表示項目によって設定されている。これに対し、容器まわりに貼付される表示ラベルの長さでは、表示できる表示スペースには限りがある。
【０００４】
これを解決するために従来は、表裏の所定箇所に表示項目が記載された１枚のシートを折り畳んで容器に貼り付けて表示するような折り畳みラベルが知られている（例えば、特許文献１参照）。
【０００５】
この特許文献１によれば、表裏の所定箇所に表示内容が記載された１枚のシートを折り曲げ線にて折り畳み、折れ曲げ線で区画されたシート片を重ね合わせ、重ね合わせた複数のシート片を再剥離及び再接着可能な接着剤で一体化している。
【０００６】
しかしながら、前述したような折り畳みラベルを、特に、農薬などの容器に用いた場合、繰り返しの使用に難点があった。
すなわち、ラベルを多層化するとボトルなどの容器に巻き付けるときに、浮き上がりやシワが発生し易いという問題があった。
さらに、浮き上がりが発生すると、積層されたラベル片とラベル片の間に隙間が生じ易くなり、容器から内容物を注ぎ出した際に農薬などの内容物が容器の口から側面に垂れると、ラベル片の隙間から内容物が侵入して表示項目を汚して視認しにくくするという問題があった。
【先行技術文献】
【特許文献】
【０００７】
【特許文献１】特開平８−１０１６４０号公報
【発明の概要】
【発明が解決しようとする課題】
【０００８】
本発明は以上のような諸問題に着目してなされたもので、積層した表示部を設け、かつ、ラベル片の一部をオーバーラップさせることにより表示面積を増加させるとともに、オーバーラップ部分が剥離・再貼着可能に仮着された表示ラベルを提供することを目的とする。
【課題を解決するための手段】
【０００９】
すなわち本発明は、矩形状のラベル基材の表裏面に情報が表示され、かつ、裏面の一端部に第１の強粘着剤層が形成される第１の表示ラベル本体と、前記第１の表示ラベル本体より長尺に形成され、ラベル基材の表裏面に情報が表示されるとともに、裏面における他端部に剥離・再貼着が可能な弱粘着剤層が形成された第２の表示ラベル本体と、前記第１および第２の表示ラベル本体の間の前記第１の強粘着剤層側の一端部側に設けられる第２の強粘着剤層と、を備え、前記第１および第２の表示ラベル本体の一端部側を、前記第２の強粘着剤層を介し積層して成る表示ラベルであって、前記第１の強粘着剤層を介して被貼付物に一端部を貼着するとともに前記第１および第２の表示ラベル本体を被貼付物に巻回し、前記第２の表示ラベル本体の一部をオーバーラップさせて前記弱粘着剤層にて貼付して表示することを特徴とする表示ラベルである。
【００１０】
第二の発明は、矩形状のラベル基材の表裏面に情報が表示された第１の表示ラベル本体と、前記第１の表示ラベル本体より長尺に形成され、ラベル基材の表裏面に情報が表示されるとともに、表面における少なくとも一端部に離型剤層が形成され、かつ、前記離型剤層が形成された一端部とは対峙する他端部における裏面側に第４の強粘着剤層が形成された第２の表示ラベル本体と、前記第１および第２の表示ラベル本体の間の前記離型剤層が形成された一端部側に設けられる第２の強粘着剤層と、前記第１および第２の表示ラベル本体の間の前記一端部および他端部間における適宜位置に形成された第３の強粘着剤層と、を備え、前記第１および第２の表示ラベル本体の一端部側を、前記第２の強粘着剤層が表出するようずらした状態で前記第２の強粘着剤層および前記第３の強粘着剤層を介し前記第１の表示ラベル本体に積層して成る表示ラベルであって、前記第２の強粘着剤層を介して被貼付物に一端部を貼着するとともに前記第１および第２の表示ラベル本体を被貼付物に巻回し、前記第２の表示ラベル本体の一部をオーバーラップさせて前記第３の強粘着剤層にて貼付して表示することを特徴とする表示ラベルである。
【００１１】
第三の発明は、矩形状のラベル基材の表面に情報が表示されるとともに、裏面の全面に強粘着剤層が形成された第１の表示ラベル本体と、前記第１の表示ラベル本体より長尺に形成され、ラベル基材の表裏面に情報が表示されるとともに、表面における少なくとも一端部に離型剤層が形成され、かつ、前記離型剤層が形成された一端部とは対峙する他端部における裏面側に第４の強粘着剤層が形成された第２の表示ラベル本体と、前記第１および第２の表示ラベル本体の間の前記離型剤層が形成された一端部側に設けられる第２の強粘着剤層と、前記第１および第２の表示ラベル本体の間の前記一端部および他端部間における適宜位置に形成された第３の強粘着剤層と、を備え、前記第１および第２の表示ラベル本体の一端部側を、前記第２の強粘着剤層を介し前記第１の表示ラベル本体を覆うように積層して形成される表示ラベルであって、前記第１の表示ラベル本体裏面の強粘着剤層を介して被貼付物に貼着するとともに前記第１および第２の表示ラベル本体を被貼付物に巻回し、前記第２の表示ラベル本体の一部をオーバーラップさせて前記弱粘着剤層にて貼付して表示することを特徴とする表示ラベルである。
【００１２】
また、ラベル基材の表面のうち、少なくとも第３および第４の強粘着剤層が重なる部分に離型剤層を形成するようにできる。
【発明の効果】
【００１３】
特に、第一の発明によれば、ラベル基材の表裏面に情報が表示され、かつ、一端部に第１の強粘着剤が形成された第１の表示ラベル本体と、ラベル基材の表裏面に情報が表示されるとともに、裏面に剥離・再貼着が可能な弱粘着剤層が形成された第２の表示ラベル本体とを、一端部に形成された第２の強粘着剤を介して積層して成る表示ラベルであり、第１および第２の表示ラベル本体の表裏面が各種情報を表示する面となるので、各種の表示情報の表示スペースを増やすことができるという効果がある。
【００１４】
第二の発明によれば、離型剤層が形成されているオーバーラップ部に対し、第４の強粘着剤層を貼り付けることにより、被貼付物に表示ラベルを表示させるため剥離・再貼着を繰り返しても、オーバーラップ部の粘着力が低下しにくいものである。
また、第１および第２の表示ラベル本体の間における長手方向の適宜位置に第３の強粘着剤層が形成されているため、第１の表示ラベルの裏面を確認する場合でも第１および第２の表示ラベル本体の間が貼りついたまま一緒にめくれるので、第１の表示ラベルの裏面が確認し易いという効果がある。
【００１５】
第三の発明によれば、第１の表示ラベル本体裏面の全体にわたって形成された強粘着剤層を被貼付物に貼り付け、被貼付物の周面に沿って第１および第２の表示ラベル本体２を巻回するため、被貼付物に対する表示ラベル全体の貼付け状態が良好なものである。
【００１６】
また、ラベル基材の表面のうち、少なくとも第３の強粘着剤層が重なる部分に離型剤層を形成するようにすれば、剥離・再貼着を繰り返しても、強粘着剤層の粘着力が低下しにくいものである。
【図面の簡単な説明】
【００１７】
【図１】本発明の一実施の形態による表示ラベルを第２の表示ラベル本体の表面側から見た概略斜視説明図である。
【図２】同、第１の表示ラベル本体の裏面側から見た概略斜視説明図である。
【図３】同、第１の表示ラベル本体と第２のラベル本体とを離して第１ラベルの表面、および第２のラベル本体の裏面を表出させた状態を示す概略斜視説明図である。
【図４】同、図２中、矢示ＩＶ−ＩＶ線に沿う概略断面図である。
【図５】同、第２の実施の形態による表示ラベルを第１の表示ラベル本体の裏面側から見た図２相当の概略斜視説明図である。
【図６】同、第１の表示ラベル本体と第２の表示ラベル本体とを剥離して第１ラベルの表面、および第２のラベル本体の裏面を表出させた状態を示す図３相当の概略斜視説明図である。
【図７】同、図５中、矢示ＶＩＩ−ＶＩＩ線に沿う図４相当の概略断面図である。
【図８】同、第３の実施形態による表示ラベルを第１の表示ラベル本体の裏面側から見た図２相当の概略斜視説明図である。
【図９】同、図８中、矢示ＩＸ−ＩＸ線に沿う図４相当の概略断面図である。
【発明を実施するための形態】
【００１８】
以下、本発明の第一の実施の形態の表示ラベルを図１ないし図４に基づき説明する。
同図に示すように、表示ラベル１０は、「ラベル基材」としての第１の表示ラベル本体１１と、第２の表示ラベル本体１２と、後述する「粘着剤層」などから構成される。なお、「ラベル基材」としては、例えば、上質紙やコート紙などの紙材、ＰＥＴ（ペット）フィルムなどのフィルム、合成紙、サーマル紙などが使用される。
【００１９】
第１の表示ラベル本体１１は、矩形状をしており表裏面のほぼ全面には様々な情報が印刷され表示されている。印刷される表示情報としては、例えば、「被貼付物」が農薬などの容器である例で説明すると、商品名、製造年月日などに加えて、適用害虫、使用方法、使用上の注意などが挙げられる。
より具体的には、第１の表示ラベル本体１１の裏面１１ｂ側から見た図２、および第１の表示ラベル本体と第２の表示ラベル本体１２との間を離して（めくって）第１の表示ラベル本体１１の表面１１ａを表出させた状態を示す図３の例で説明すると、表面（第１の表示部）１１ａには、「（その他の表示）」の表示情報１３ａ、裏面（第２の表示部）１１ｂには、「（使用方法）」の表示情報１３ｂが、各々印刷されて表示されている。なお、図２は、図１の表示ラベル１０の上端部を矢印Ｙ方向に引っ張り上下反転して裏返した状態を示している。
また、第１の表示ラベル本体１１には、裏面１１ｂの一端部（図２、図３における左側端部）の幅方向Ｗにわたって第１の強粘着剤層１４が形成されている。
【００２０】
第２の表示ラベル本体１２は、第１の表示ラベル本体１１と同様、表裏面の略全面に様々な情報が印刷され表示されている。
第２の表示ラベル本体１２の表面１２ａ側から見た図１、並びに図２および図３の例では、表面（第３の表示部）１２ａには、「商品名」の表示情報１３ｃおよび「劇薬マーク」の表示情報１３ｆ（図１における右側）、並びに、「使用上の注意」の表示情報１３ｄ（図１における左側）が、また、裏面（第４の表示部）１２ｂには、「成分」の表示情報１３ｅがほぼ全面にわたって、各々印刷されている。
また、第２の表示ラベル本体１２は、前記第１の表示ラベル本体１１より長尺状を呈しており、かつ、裏面１２ｂの他端部（図２、図３におおける右側端部）に剥離・再貼着可能な弱粘着剤層１５が形成されている。
【００２１】
第１および第２の表示ラベル本体１１、１２の間には、第２の強粘着剤層１６が形成されている。より具体的には、第２の強粘着剤層１６は、第１の強粘着剤層１４が形成される第１の表示ラベル本体１１の一端部の表面１１ａ側に形成されており、第１の表示ラベル本体１１に対し、この第１の表示ラベル本体１１より長尺状に形成された第２の表示ラベル本体１２で覆うように積層して第２の強粘着剤層１６にて貼り付けることにより表示ラベル１０が形成されるようになっている。
なお、一端部に形成された第２の強粘着剤層１６を介して第１および第２の表示ラベル本体１１、１２が貼り付けられているため、第１および第２の表示ラベル本体１１、１２の間を離した際（めくり上げた際）、第１および第２の表示ラベル本体１１、１２間は、これ以上めくれないよう阻止されるようになっている。
【００２２】
次に、主に、図４を参照して、表示ラベル１０の使用方法につき説明する。
被貼付物体Ｓ（図４において、想像線で示してある）に対し、第１の表示ラベル本体１１の第１の強粘着剤層１４にて表示ラベル１０を貼り付けるとともに、被貼付物Ｓの周面に沿って第１および第２の表示ラベル本体１１、１２を巻回する。そして、第２の表示ラベル本体１２の他端部を第２の表示ラベル本体１２の表面１２ａ側に一部がオーバーラップするように巻回し、第２の表示ラベル本体１２裏面１２ｂに形成された弱粘着剤層１５により貼付する。この弱粘着剤層１５による貼付状態は、剥離・再貼着可能な「仮着」状態とされている。
なお、Ｈは、オーバーラップ部を示す。
【００２３】
各種の表示情報１３ａ〜１３ｆを必要に応じ確認する場合は、第２の表示ラベル本体１２の表面１２ａに仮着されている弱粘着剤層１５を剥離することによりオーバーラップ部Ｈが表出して第２の表示ラベル本体１２の表面１２ａの全体が確認できるとともに、第２の表示ラベル本体１２の裏面１２ｂ、並びに第１の表示ラベル本体１１の表面１１ａ、および裏面１１ｂが表出するため、第１ないし第４の表示部１１ａ、１１ｂ、１２ａ、１２ｂの各種の表示情報１３ａ〜１３ｆの確認が可能となり、さらに、確認後、被貼付物Ｓの周面に沿って第１および第２の表示ラベル本体１１、１２を巻回して第２の表示ラベル本体１２裏面１２ｂに形成された弱粘着剤層１５にて再貼着することにより、表示ラベル１０は、元のオーバーラップされた状態で被貼付物Ｓに表示される。
【００２４】
上述したように、表示ラベル１０は、ラベル基材の表裏面１１ａ、１１ｂに情報１３ａ、１３ｂが表示され、かつ、一端部に第１の強粘着剤１４が形成された第１の表示ラベル本体１１と、ラベル基材の表裏面１２ａ、１２ｂに情報１３ｃ〜１３ｆが表示されるとともに、裏面１２ｂの他端部に剥離・再貼着可能な弱粘着剤層１５が形成された第２の表示ラベル本体１２とを、一端部に形成された第２の強粘着剤１６を介して積層されて成り、第１および第２の表示ラベル本体１１、１２の表裏面が第１ないし第４の表示部１１ａ、１１ｂ、１２ａ、１２ｂとなるので、各種の表示情報１３ａ〜１３ｆの表示スペースを増やすことができる。
【００２５】
また、表ラベル１０の第１の強粘着剤層１４を介して被貼付物に一端部を貼着するとともに第１および第２の表示ラベル本体１１、１２を被貼付物Ｓに巻回し、第２の表示ラベル本体１２の一部をオーバーラップさせて弱粘着剤層１５にて貼付して表示するようにし、弱粘着剤層１５により剥離・再貼着できるようにしたので、再度の表示情報の確認後、オーバーラップ部Ｈにて弱粘着剤層１５による貼付け（仮着）が可能となる。
【００２６】
しかも、弱粘着剤層１５を剥離すると、オーバーラップ部Ｈで隠されていた第２の表示ラベル本体１２の表面１２ａ（第３の表示部）全体の表示情報が確認できるだけでなく、第１、第２および第４の表示部１１ａ、１１ｂ、１２ｂに印刷されている多くの表示情報が確認できる。
【００２７】
次に、主に、図５ないし図７に基づき、第２の実施の形態につき説明する。
なお、以下において、先の実施の形態と同様の部分は同一符号を付すに止め、詳説は省略する。
表示ラベル２０は、主に、第１の表示ラベル本体２１と、第２の表示ラベル本体２２と、第１および第２の表示ラベル本体２１，２２の間に形成された第２の強粘着剤層１６とを備える。
【００２８】
第１の表示ラベル本体２１は、先の実施の形態の第１の表示ラベル１１と同様、表裏面２１ａ、２１ｂに表示情報１３ａ、１３ｂが印刷される第１および第２の表示部２１ａ、２１ｂとなっており、かつ、表面２１ａ側、すなわち、第２の表示ラベル２２との間における長手方向Ｌの適宜位置に第３の強粘着剤層２３が形成されている。
【００２９】
第２の表示ラベル本体２２は、表面２２ａ側に表示情報１３ｃ、１３ｄ、１３ｆが印刷された第３の表示部２２ａ、並びに、裏面２２ｂ側に表示情報１３ｅが印刷された第４の表示部２２ｂとなっており、かつ、裏面２２ｂ側の他端部には、先の実施の形態の弱粘着剤層１５に代えて第４の強粘着剤層２４が形成されている。
また、少なくとも前記第１の表示ラベル本体２１の第３の強粘着剤層２３に対峙する、第２の表示ラベル本体２２の裏面２２ｂには、離型剤層２５が形成されている。
さらに、少なくともオーバーラップ部Ｈには、離型剤層２６が形成されている。
なお、本実施の形態において、第１および第２の表示ラベル本体２１，２２の間に形成された第２の強粘着剤層１６は、第２の表示ラベル本体２２の裏面２２ｂに形成されているものとする。
【００３０】
第１および第２の表示ラベル本体２１、２２の間に形成された第２の強粘着剤層１６を介して第１および第２の表示ラベル本体２１、２２を積層する際、第２の強粘着剤層１６が第１の表示ラベル本体２１の裏面２１ａに表出するよう、一端部をずらした状態で積層して貼り付けるとともに、第３の強粘着剤層２３にて第１および第２の表示ラベル本体２１、２２間を剥離・再貼着可能に仮着して表示ラベル２０が形成されるようになっている。
先の実施の形態と異なる点は、第１および第２の表示ラベル本体２１、２２の間における長手方向Ｌの適宜位置に第３の強粘着剤層２３が形成されている点、裏面１１ｂの一端部に形成されていた第１の強粘着剤層１４（図２参照）を廃止した点、さらに、第２の表示ラベル本体２２の裏面２２ｂ側の他端部に、弱粘着剤層１５に代えて第４の強粘着剤層２４が形成されている点である。
【００３１】
次に、主に、図７を参照して、表示ラベル２０の使用方法につき説明する。
被貼付物体Ｓに対し、第１の表示ラベル本体２１の裏面２１ｂ側に表出した第２の表示ラベル本体２２裏面２２ｂの第２の強粘着剤層１６にて表示ラベル２０を貼り付けるとともに、被貼付物Ｓの周面に沿って第１および第２の表示ラベル本体２１、２２を巻回すると、第１および第２の表示ラベル本体２１、２２の間における長手方向Ｌの適宜位置に形成された第３の強粘着剤層２３が、剥離・再貼着可能に第１および第２の表示ラベル本体２１、２２を仮着する。
さらに巻回を続け、第２の表示ラベル本体２２の他端部が、第２の表示ラベル本体２２表面２２ａにおける離型剤層２６が形成されているオーバーラップ部Ｈに重なるよう（オーバーラップするよう）に巻回し、第２の表示ラベル本体２２裏面２２ｂに形成された第４の強粘着剤層２４により貼付する。
【００３２】
上述したように、離型剤層２６が形成されているオーバーラップ部Ｈに対し、第４の強粘着剤層２４を貼り付けることにより、被貼付物Ｓに表示ラベル２０を表示させるため、剥離・再貼着を繰り返しても、オーバーラップ部Ｈの粘着力が低下しにくいものである。
また、第１および第２の表示ラベル本体２１、２２の間における長手方向Ｌの適宜位置に第３の強粘着剤層２３が形成されているため、第１の表示ラベル２１の裏面２１ｂを確認する場合でも第１および第２の表示ラベル本体２１、２２の間が貼りついたまま一緒にめくれるので、第２の表示部２１ｂの「使用方法」の表示情報１３ｂが確認し易いものである。
また、第１の表示ラベル本体１１裏面１１ｂの第１の強粘着剤層１４（図２）を廃した上で、第１および第２の表示ラベル本体２１，２２の間に形成された第２の強粘着剤層１６を第１のラベル本体２１の裏面２１ｂに表出させて被貼付物Ｓに貼り付けるようにしたのでその分、構造が簡単になる。
さらに、第２の表示ラベル本体２２の裏面２２ｂ側の他端部に形成した「粘着剤層」を、弱粘着剤層１５（図２参照）に代えて第４の強粘着剤層２４としたので、「粘着剤層」は、第２、第３および第４とも同様の強粘着剤層１６、２３、２４となるため、表示ラベル２０が作製し易くなるものである。
その他の、構成、作用、効果については、先の実施の形態とほぼ同様につき、詳説を省略する。
なお、説明の都合上、本実施の形態においては、第１の表示ラベル本体２１側に第３の強粘着剤層２３が、そして、第２の表示ラベル本体２２の側に離型剤層２５が、各々形成されている例で説明したが、この逆であっても勿論構わない。
【００３３】
次に、主に、図８および図９に基づき、第３の実施の形態につき説明する。
なお、以下において、先の実施の形態と同様の部分は同一符号を付すに止め、詳説は省略する。
表示ラベル３０は、主に、第１の表示ラベル本体２１と、第２の表示ラベル本体２２と、第１および第２の表示ラベル本体２１，２２の間に形成された第２の強粘着剤層１６、並びに第１および第２の表示ラベル２１、２２の間における長手方向Ｌの適宜位置に形成された第３の強粘着剤層２３と、を備える。
【００３４】
第１の表示ラベル本体２１には、表面２１ａに表示情報１３ａが印刷される第１の表示部２１ａが形成され、かつ、裏面２１ｂには、全面にわたって強粘着剤層３３が形成されている。
第２の表示ラベル本体２２は、表面２２ａ側に表示情報１３ｃ、１３ｄ、１３ｆが印刷された第３の表示部２２ａ、並びに、裏面２２ｂ側に表示情報１３ｅが印刷された第４の表示部２２ｂとなっており、かつ、裏面２２ｂ側の他端部には、第４の強粘着剤層２４が形成されている。
先の第２の実施の形態と異なる点は、第１および第２の表示ラベル本体２１、２２の一端側を第１の実施の形態と同様、揃えた点、第１の表示ラベル本体２１裏面２１ｂの「表示部」を廃止した上で、裏面２１ｂの全面にわたって強粘着剤層３３を形成した点である。
第１の表示ラベル本体２１裏面２１ｂの強粘着剤層３３を被貼付物Ｓに貼り付け、被貼付物Ｓの周面に沿って第１および第２の表示ラベル本体２１、２２を巻回するので、被貼付物Ｓに対する表示ラベル３０全体の貼付け状態が良好なものである。
その他の、構成、作用、効果については、先の実施の形態とほぼ同様につき、詳説を省略する。
【００３５】
なお、上記実施の形態の構成及び動作は例であって、本発明の趣旨を逸脱しない範囲で適宜変更することができることは言うまでもない。また、後記構成部材の数、位置、形状等は上記実施の形態に限定されず、本発明を実施する上で好適な数、位置、形状等にすることができる。
【符号の説明】
【００３６】
Ｈ  オーバーラップ部
Ｓ  被貼付物
Ｌ  長手方向
Ｗ  幅方向
１０  表示ラベル（第１の実施形態）
１１  第１の表示ラベル本体
１１ａ  第１の表示ラベル本体の表面（第１の表示部）
１１ｂ  第１の表示ラベル本体の裏面（第２の表示部）
１２  第２の表示ラベル本体
１２ａ  第２の表示ラベル本体の表面（第３の表示部）
１２ｂ  第２の表示ラベル本体の裏面（第４の表示部）
１３ａ〜１３ｆ  各種の表示情報
１４  第１の強粘着剤層
１５  弱粘着剤層
１６  第２の強粘着剤層
２０  表示ラベル（第２の実施形態）
２１  第１の表示ラベル本体
２１ａ  第１の表示ラベル本体の表面（第１の表示部）
２１ｂ  第１の表示ラベル本体の裏面（第２の表示部）
２２  第２の表示ラベル本体
２２ａ  第２の表示ラベル本体の表面（第３の表示部）
２２ｂ  第２の表示ラベル本体の裏面（第４の表示部）
２３  第３の強粘着剤層
２４  第４の強粘着剤層
２５、２６  離型剤層
３０  表示ラベル（第３の実施形態）
３３  強粘着剤層
【図１】
2014044300.tif 000003
【図２】
2014044300.tif 000004
【図３】
2014044300.tif 000005
【図４】
2014044300.tif 000006
【図５】
2014044300.tif 000007
【図６】
2014044300.tif 000008
【図７】
2014044300.tif 000009
【図８】
2014044300.tif 000010
【図９】
2014044300.tif 000011